(57)【要約】【課題】  組合せ選択された複数の物品の重量がどの程度揃っているかをランク判別する。【解決手段】  複数の物品を計量器２−１乃至２−Ｎでそれぞれ計量して得た重量を、ＣＰＵ２０が種々に組み合わせて、合計重量が目標重量に等しいか近い組合せを作成する。ＣＰＵ２０は、作成された組合せを構成する各物品の重量がどの程度揃っているかを表す揃い度を算出し、その算出された揃い度が予め定めた複数のランクのいずれに該当するか判定する。【選択図】        図１
2008281518.tif 000002
【特許請求の範囲】
【請求項１】
複数の物品の重量を基に合計重量が予め定めた目標重量に等しいか近い組合せを作成する組合せ作成手段と、
作成された組合せを構成する前記各物品の重量がどの程度揃っているかを表す揃い度が予め定めた複数のランクのいずれに該当するか判定するランク判定手段とを、
具備する組合せ秤。
【請求項２】
請求項１記載の組合せ秤において、前記作成された組合せのランクを表すランク表示と前記作成された組合せを構成する前記物品を表す物品表示とを兼ねた表示手段を有する組合せ秤。
【請求項３】
複数の物品の重量を基に合計重量が予め定めた目標重量に等しいか近い複数の組合せを作成する組合せ作成手段と、
作成された複数の組合せのうち、合計重量と前記目標重量との差である近接度が高い組合せを選択する組合せ選択手段と、
選択された組合せを構成する前記各物品の重量がどの程度揃っているかを表す揃い度が、予め定めた複数のランクのいずれに該当するかを判定するランク判定手段とを、
具備する組合せ秤。
【請求項４】
複数の物品の重量を基に合計重量が予め定めた目標重量に等しいか近い複数の組合せを作成する組合せ作成手段と、
これら作成された複数の組合せから、前記組合せを構成する前記複数の物品の重量がどの程度揃っているかを表す揃い度が、複数のランクのうち高いランクに該当する組合せを、選択する組合せ選択手段とを、
具備する組合せ秤。
【請求項５】
請求項３または４記載の組合せ秤において、前記選択された組合せのランクを表すランク表示と、その選択されたランクに属する組合せを構成する物品を表す物品表示とを兼ねる表示手段を備える組合せ秤。
【請求項６】
複数の物品の重量を基に合計重量が予め定めた目標重量に等しいか近い複数の組合せを作成する組合せ作成手段と、
前記作成された複数の組合せから、前記各組合せを構成する前記複数の物品の重量がどの程度揃っているかを表す揃い度が高い組合せを抽出する第１の組合せ抽出手段と、
作成された複数の組合せのうち、合計重量と前記目標重量との差である近接度が高い組合せを抽出すると共にその組合せの前記揃い度を求める第２の組合せ抽出手段と、
第１及び第２の組合せ抽出手段のいずれかを選択する選択手段と、
第１及び第２の組合せ抽出手段のうちいずれかで抽出された組合せの前記揃い度が予め定めたランクのいずれに該当するか判定するランク判定手段とを、
具備する組合せ秤。
【請求項７】
請求項６記載の組合せ秤において、前記抽出された組合せのランクを表すランク表示と、その抽出された組合せを構成する物品を表す物品表示とを兼ねる表示手段を、備える組合せ秤。
【発明の詳細な説明】
【技術分野】
【０００１】
本発明は、組合せ秤に関し、特に組み合わされた物品の重量がほぼ揃うようにした組合せ秤に関する。
【背景技術】
【０００２】
上述したような組合せを構成する物品の重量を揃える組合せ秤としては、例えば特許文献１に開示されているようなものがある。この技術では、複数の計量部で物品を計量して得た計量信号を、予め定められた個数ずつ組み合わせて複数の組を作成する。これら各組の中から、組を構成している各計量信号が互いに接近しているものを選択する。これによって、予め定めた個数の物品からなり、各物品の重量が接近している組合せを得ることができる。
【０００３】
【特許文献１】特許第２７６１９３３号公報
【発明の開示】
【発明が解決しようとする課題】
【０００４】
販売者が複数の物品を組み合わせた商品を販売する場合、それら組み合わされた物品の合計量量が、その商品に表示されている公称重量を下回ることは許されない。一方、購買者は、上記の商品の合計重量が公称重量であることと同時に、その商品の物品それぞれの重量が揃っていれば、その商品に高い価値を感じる。販売者も、この要求を満たせば、より高い値段で組み合わせた商品を販売することができる。
【０００５】
特許文献１の技術では、上述したように、予め定めた個数の物品からなり、各物品の重量が接近している物品の組合せを得ることができるが、合計重量を公称重量とするような制御は行われていない。特許文献１の技術によって、合計重量を公称重量とするようにするためには、計量部で計量する各物品の重量を、公称重量を予め定めた個数で除算した値に非常に近い値に制限しなければならない。このような各物品の重量制限を、効率的に行うのは困難である。
【０００６】
また、組合せによって得られた商品の価値は、全ての構成物品の重量がほぼ揃っているとき、その商品価値は最も高い。全ての構成物品の重量が或る程度揃っていない場合、商品価値は低下するが、販売は可能である。従って、各組合せ商品の構成物品の重量が揃っている程度が、どの程度揃っているか判別することが望ましい。
【０００７】
また、販売される商品によっては、上述したように組合せの合計重量が目標重量に近く、かつ組合せの各物品の重量が揃っていることが望まれる場合と、組合せの合計重量が目標重量により近いものが望まれる場合とがある。このような２つの場合のいずれにも対応することができる組合せ秤が望ましく、またどちらの場合でも、組み合わされた物品の各重量がどの程度揃っているかランク判別できることが望ましい。
【０００８】
本発明は、組み合わされた複数の物品の重量がどの程度揃っているかをランク判別することができる組合せ秤を提供することを目的とする。また、本発明は、組み合わされた複数の物品の合計重量が目標重量に近く、なおかつその組み合わされた物品の各物品の重量がどの程度揃っているかランク判別することができる組合せ秤を提供することを目的とする。更に、本発明は、合計重量が目標重量に近く、かつ組合せの各物品の重量が揃っている組合せと、合計重量が目標重量により近い組合せのうち選択されたものを抽出可能であり、抽出された組合せの物品の各重量がどの程度揃っているかをランク判別することができる組合せ秤を提供することを目的とする。
【課題を解決するための手段】
【０００９】
本発明の一態様の組合せ秤は、組合せ作成手段を有している。この組合せ作成手段は、複数の物品の重量を基に合計重量が予め定めた目標重量に等しいか近い組合せを作成する。作成される組合せは、１つだけとすることもできるし、複数選択することもできる。  作成された組合せを構成する前記各物品の重量がどの程度揃っているかを表す揃い度が予め定めた複数のランクのいずれに該当するか、ランク判定手段が判定する。揃い度は、例えば作成された組合せを構成する各物品の重量のうち最大値と最小値との偏差とすることができる。或いは、各物品の重量の平均値と各物品の重量との偏差、この偏差の二乗値とすることもできる。ランクは、例えば揃い度が高いランク、中間のランク、低いランクのように設定することができる。
【００１０】
このように構成すると、作成された組合せの揃い度がどのランクに属するかが判明するので、このランクに応じて組合せ物品の商品価値を定めることができる。
【００１１】
作成された組合せのランクを表すランク表示と前記作成された組合せを構成する前記物品を表す物品表示とを兼ねた表示手段を設けることができる。このように構成すると、この表示手段を見ることによって、複数の物品の中から作成された組合せがどれであって、どのランクに属するかを認識することができ、しかも表示手段は、両表示を兼用しているので、設置スペース等を取ることがない。
【００１２】
本発明の他の態様の組合せ秤も、組合せ作成手段を有している。但し、この組合せ作成手段は、合計重量が予め定めた目標重量に等しいか近い組合せを複数作成する。作成された複数の組合せのうち、合計重量と前記目標重量との差である近接度が高い組合せを組合せ選択手段が選択する。この選択は、１つの組合せのみを選択することもできるし、複数の組合せを選択することもできる。但し、複数の組合せを選択する場合、選択された組合せで物品が重複しないように選択する。選択された組合せを構成する前記各物品の重量がどの程度揃っているかを表す揃い度が算出され、その揃い度が、予め定めた複数のランクのいずれに該当するかをランク判定手段が判定する。
【００１３】
このように構成すると、近接度が高いもの、即ち合計重量が目標重量に等しいかより近い組合せが選択され、しかも選択された組合せの物品の揃い度が、どのランクに属するかが判明する。従って、形成された組合せの振り分け、例えば近接度が高く、物品の重量がよく揃っているとか、近接度が高いが余り物品の重量は揃っていないとかの判断が容易に行える。
【００１４】
本発明の別の態様の組合せ秤も、組合せ作成手段を有している。この組合せ作成手段も合計重量が予め定めた目標重量に等しいか近い複数の組合せを作成する。これら作成された複数の組合せから、組合せを構成する前記複数の物品の重量がどの程度揃っているかを表す揃い度が、複数のランクのうち高いランクに該当する組合せを、組合せ選択手段が選択する。
【００１５】
このように構成すると、目標重量に等しいか近い合計重量を持つ組合せのうち、揃い度が高い組合せが近接度よりも優先されて選択され、しかもその揃い度がどのランクに属するかが判明する。従って、或る程度の近接度を持ちつつ揃い度の高い組合せを得ることができる。
【００１６】
上記２つの態様のいずれかにおいて、選択された組合せのランクを表すランク表示と、その選択されたランクに属する組合せを構成する物品を表す物品表示とを兼ねる表示手段を設けることができる。このように構成すると、表示手段を見ることによって、複数の物品の中から選択された組合せに該当する物品がどれであって、その選択された組合せがどのランクに属するかを認識することができ、しかも表示手段は、組合せ表示とランク表示を兼用しているので、設置スペース等を取ることがない。
【００１７】
本発明の更に別の態様の組合せ秤も、組合せ作成手段を有している。この組合せ作成手段も、複数の物品の重量を基に合計重量が予め定めた目標重量に等しいか近い複数の組合せを作成する。第１の組合せ抽出手段が、作成された複数の組合せから、各組合せを構成する複数の物品の重量がどの程度揃っているかを表す揃い度が高い組合せを抽出する。第２の組合せ抽出手段が、作成された複数の組合せのうち、合計重量と前記目標重量との差である近接度が高い組合せを抽出すると共にその組合せの前記揃い度を求める。選択手段が、第１及び第２の組合せ抽出手段のいずれかを選択する。第１及び第２の組合せ抽出手段のうちいずれかで抽出された組合せの前記揃い度が予め定めたランクのいずれに該当するかランク判定手段が判定する。
【００１８】
このように構成すると、近接度を優先とした組合せと、揃い度を優先とした組合せとのいずれもが、選択手段による選択に応じて、１台の組合せ秤によって得ることができる。
【００１９】
抽出された組合せのランクを表すランク表示と、その抽出された組合せを構成する物品を表す物品表示とを兼ねる表示手段を設けることもできる。このように構成すると、表示手段を見ることによって、複数の物品の中から揃い度または近接度優先で選択された組合せに該当する物品がどれであって、その選択された組合せがどのランクに属するかを認識することができ、しかも表示手段は、組合せ表示とランク表示を兼用しているので、設置スペース等を取ることがない。
【発明の効果】
【００２０】
以上のように、本発明によれば、選択された組合せを構成する各物品の重量の揃い度をランクによって判別することができる。しかも、揃い度がランク判別される物品の組合せを、合計重量が目標重量により近づけた、即ち近接度を高めたものとすることもできるし、或いは揃い度を高めたものとすることもできるし、近接度及び揃い度いずれか所望のものを高めた組合せとすることもできる。
【発明を実施するための最良の形態】
【００２１】
本発明の１実施形態の組合せ秤は、手動式の組合せ秤である。手動式の組合せ秤は、物品を計量器の計量台上に載せる操作と、組合せ選択された物品を計量台から除去する操作とを、手動で行うものである。この実施形態で使用される物品は、定形の物、例えば農産品や水産品である。
【００２２】
図１に示すように、この組合せ秤は、複数台、例えばＮ台の計量器２−１乃至２−Ｎを備えている。これら計量器２−１乃至２−Ｎは、全て同一の構成であるので、計量器２−１の構成のみ説明する。計量器２−１は、計量手段、例えばロードセル４を有している。このロードセル４には、図示していない計量台が結合され、これに載せられた物品の重量を表すアナログ計量信号をロードセル４が発生する。このアナログ計量信号は、増幅器６によって増幅され、Ａ／Ｄ変換器８によってデジタル計量信号に変換され、入出力インターフェース１０を介して計量器用制御手段、例えばＣＰＵ１２に供給される。ＣＰＵ１２は、記憶手段、例えばＲＯＭ、ＲＡＭ、ＥＥＰＲＯＭ等からなるメモリ１４に記憶されているプログラムに従って、メモリ１４をワークエリアとして使用して、デジタル計量信号を処理して、物品の計量値を算出し、この計量値をシリアルデータの通信ライン１６を介して制御装置１８に伝送する。
【００２３】
制御装置１８では、各計量器２−１乃至２−Nから伝送されてきた各計量値を基に、複数の組合せを作成する。作成される組合せは、合計重量が予め定めた目標重量とこれより大きく設定した許容上限重量との間に存在するものである。これら作成された組合せの中から近接度または揃い度に基づいて組合せが選択される。
【００２４】
近接度とは、上述したように作成された各組合せの合計重量と目標重量との偏差を言う。この偏差が小さいほど、即ち目標重量に合計重量が近いほど、その組合せの近接度は高い。揃い度とは、上述したように作成された組合せにおいて、その組合せを構成する各物品の重量のうち最大値と最小値との偏差を言う。この偏差が小さいほど、即ち各物品の重量が揃っているほど、その組合せの揃い度は高い。
【００２５】
近接度を優先するか、揃い度を優先するかの指示が、使用者によって組合せ秤に予め与えられている。揃い度を優先すると指示されていると、上述したように作成された組合せの中から、高い揃い度の組合せから低い揃い度の組合せの方向に予め定めた個数、例えばＱ個の組合せを選択する。但し、先に選択された組合せ（揃い度が高い組合せ）に含まれている物品が、後に選択される組合せにも重複して選択されないようにする。なお、Ｑ個は最大数であり、途中で条件を満たす組合せが無くなった場合には、選択はそこで中止される。
【００２６】
近接度を優先すると指示されていると、上述したように作成された各組合せの中から、高い近接度の組合せから低い近接度の組合せの方向に予め定めた個数、例えばＫ個の組合せを選択する。但し、先に選択された組合せ（近接度が高い組合せ）に含まれている物品が、後に選択される組合せにも重複して選択されないようにする。なお、Ｋ個は最大数であり、途中で条件を満たす組合せが無くなった場合には、選択はそこで中止される。なお、近接度優先の場合にも、選択された組合せの揃い度は演算される。
【００２７】
このようにして近接度優先または揃い度優先で選択された組合せを構成する物品が載置されてい計量器に、通信ライン１６を介して選択されている旨が通知され、その旨が各計量器２−１乃至２−Ｎに設けられた表示手段によって示される。これによって、計量器から物品を取り出すことが促される。この際、表示手段では、複数のランクのうち、選択された組合せの揃い度が属するランクも表示される。これによって、ランクに応じた振り分けが手動によって行われる。このランク判断は、制御装置１８において行われ、この実施形態では３つのランク、例えば揃い度が最も高いランク、揃い度が中間のランク、揃い度が低いランクが設定されている。
【００２８】
表示手段は、計量器ごとに、３つのランクに対応したランプが設けられ、その計量器で計量されている物品が組合せに選択されたとき、その組合せが属するランクに対応するランプが点灯する。
【００２９】
このランプの点灯した計量器から１組目の組合せの物品が取り除かれた後、ランプは全て消灯し、２組目の選択された組合せを構成している物品を計量している計量器の各ランプのうち、選択された組合せの揃い度が属するランプが点灯し、この点灯に従って、物品が取り除かれる。以下、同様にして、全ての選択された組合せの物品が計量器から取り除かれる。その後、空になった計量器には新たに物品が載せられ、再び上述したように処理が行われる。
【００３０】
このように、この組合せ秤では、揃い度を優先した組合せまたは近接度を優先した組合せを得ることができ、しかも、揃い度を優先している場合は勿論、近接度を優先している場合でも、選択された組合せの揃い度が、どのランクに属するかも判る。
【００３１】
このような制御を行うために、制御装置１８は、制御手段、例えばＣＰＵ２０を有している。ＣＰＵ２０は、記憶手段、例えばＲＯＭ、ＲＡＭ、ＥＥＰＲＯＭ等からなるメモリ２２に記憶されたプログラムに従って、メモリ２２をワークエリアとして使用して動作する。ＣＰＵ２０は、入出力インターフェース２４を介して各計量装置２−１乃至２−Ｎから計量値を受ける。また、上記の組合せの作成に使用するために設定された目標重量や許容上限重量等のデータ、近接度優先とするか揃い度優先とするかのデータが設定部２６で設定され、設定部２６から入出力インターフェース２４を介してＣＰＵ２０に供給される。また、設定されたデータは、入出力インターフェース２４を介して表示部２８に表示される。更に、ＣＰＵ２０による処理の結果、選択された組合せの個数や後述するランク数も、表示部２８に表示される。
【００３２】
上述した表示手段として、各計量器２−１乃至２−Ｎの入出力インターフェース１０に、ランプ３０−１乃至３０−Ｎと、ランプ３２−１乃至３２−Ｎと、ランプ３３−１乃至３３−Ｎとがそれぞれ接続されている。
【００３３】
ランプ３０−１乃至３０−Ｎは、揃い度が最も高いランクに対応するものである。計量器２−１乃至２−Ｎのうちいずれかに載置されている物品が、揃い度が最も高い組合せの物品であると制御装置１８から指示されると、ランプ３０−１乃至３０−Ｎのうち、その物品が載置されている計量器に設けられているものが点灯する。
【００３４】
ランプ３２−１乃至３２−Ｎは、揃い度が中間のランクに対応するものである。計量器２−１乃至２−Ｎのうちいずれかで計量している物品が中間のランクの組合せに含まれていると制御装置１８から指示されると、ランプ３２−１乃至３２−Ｎのうち、その物品を計量している計量器にあるものが点灯する。
【００３５】
ランプ３３−１乃至３３−Ｎは、揃い度が低いランクに対応するものである。計量器２−１乃至２−Ｎのうちいずれかで計量している物品が低い揃い度のランクの組合せに含まれていると制御装置１８から指示されると、ランプ３３−１乃至３３−Ｎのうち、その物品を計量している計量器にあるものが点灯する。
【００３６】
ランプ３０−１乃至３０−Ｎと、３２−１乃至３２−Ｎと、３３−１乃至３３−Ｎとは、それぞれ発光色が異なる。従って、ランプ３０−１乃至３０−Ｎと、３２−１乃至３２−Ｎと、３３−１乃至３３−Ｎのうちいずれのランプが点灯するかによって、いずれのランクに属する組合せであるかが判明し、かつランプが点灯した計量器上の物品が選択された組合せを構成していることも判明する。
【００３７】
各計量器２−１乃至２−Ｎでは、計量台上に物品が載置されたことを検出するために零点よりもやや大きいが、物品の重量よりも充分に小さい境界重量信号が予め設定されている。デジタル計量信号が境界重量信号を超えたと判断すると、デジタル計量信号が安定しているか判定する。この判定では、時系列に生成される各デジタル計量信号のうち連続して生成される所定個数のデジタル計量信号を比較する。それらデジタル計量信号の間の差が全て予め定めた安定判別信号よりも小さいとき安定と判定する。安定と判定されたときの所定個数のデジタル計量信号の平均値を計量値として、この計量値と、いずれの計量器の計量値であるかを表す計量器番号とを対にして制御装置１８に伝送する。なお、安定条件が崩れたとＣＰＵ１２が判定すると、計量値を零として制御装置１８に伝送する。
【００３８】
制御装置１８では、図２に示すように受信レジスタ３４がメモリ２２内に設けられている。これは、各計量器２−１乃至２−Ｎにそれぞれ対応する記憶領域を有し、一定時間の経過ごとに、各計量器から伝送された計量器番号を参照して、その計量器番号に対応する領域に、その計量器番号と対の計量値が記憶される。また、受信レジスタ３４と同一構成のメモリレジスタ３６もメモリ２２内に設けられている。ＣＰＵ２０は、一定周期ごとに受信レジスタ３４の各計量器の計量値が、メモリレジスタ３６の対応する領域の計量値と一致するかチェックする。不一致であると、ＣＰＵ２０は、不一致である受信レジスタ３４の計量器の計量値を、メモリレジスタ３６の対応する領域に記憶させる。メモリレジスタ３６の各計量値の内容が、１つでも前回にチェックしたときと異なっていれば、組合せ選択演算の起動条件が満たされたと判断する。但し、計量値が零に変化したものは起動条件が満たされたとは判断しない。起動条件が満たされたことにより、組合せ選択演算が開始可能となる。
【００３９】
揃い度を優先した組合せが上述したようにして選ばれると、図３に示すように、その組合せを構成している計量器の番号が、メモリ２２内の揃い度優先選択組合せレジスタ３８のアドレスＤ＋１乃至Ｄ＋Ｑの合計Ｑ個の記憶領域に、組ごとに順に記憶される。揃い度優先の組合せの数（組数）は、ＣＰＵ２０によって構成されたカウンタｃによって後述するようにカウントされており、表示部２８に表示される。また、カウンタｃの値によって指定された揃い度優先選択組合せレジスタ３８の記憶領域に記憶されている揃い度優先の組合せを構成している計量器の番号が、各計量器に通知するために、図４に示す排出指示レジスタ４２に記憶される。この排出指示レジスタ４２も、メモリ２２に形成されている。
【００４０】
近接度優先の組合せを構成している計量器番号が、メモリ２２内の近接度優先選択組合せレジスタ４０のアドレスＤ’＋１乃至Ｄ’＋Ｋの合計Ｋ個の記憶領域に、組ごとに順に記憶される。近接度優先選択組合せの数（組数）も、上述したカウンタｃによってカウントされ、表示部２８に表示される。また、カウンタｃの値によって指定された近接度優先選択組合せレジスタ４０の記憶領域に記憶されている近接度優先の組合せを構成している計量器の番号が、各計量器に通知するために、排出指示レジスタ４２に記憶される。
【００４１】
以下、図５乃至図８を参照して、制御装置１８のＣＰＵ２０が行う処理を説明する。この処理では、選択された組合せがあるとき１にセットされるフラグＦ１が使用され、このフラグＦ１は初期設定では０にセットされている。また、揃い度優先で組合せを選択するか、近接度優先で組合せを選択するかも、既に設定されている。
【００４２】
ＣＰＵ２０が行う処理は、所定周期ごとに繰り返される。この処理では、図５に示すように、まず、各計量器２−１乃至２−Ｎからの計量値を受信レジスタ３４に読み込む（ステップＳ２）。次に、フラグＦ１が１であるか判定する（ステップＳ４）。この判定の結果がノーであると、即ち選択された組合せが無いと判定されると、上述した組合せ演算の起動条件が成立しているか判定する（ステップＳ６）。この判定の結果がノーであると、この処理を終了する。そして、所定時間の経過後に再びステップＳ２から実行される。
【００４３】
ステップＳ６の判定の結果がイエスであると、組合せ作成が実行される（ステップＳ８）。この組合せの作成は、例えば各計量器２−１乃至２−Ｎからの合計Ｎ個の計量値を種々に組合せ、組合せごとに合計重量と目標重量との偏差、即ち近接度Ｅｘを求めるものである。このようにして求めた各組合せのうち、偏差（近接度）Ｅｘが所定範囲内、即ち、合計重量が目標重量と許容上限重量との間に存在するものを全て選択する（ステップＳ１０）。
【００４４】
次に、ステップＳ１０において選択された組合せが存在するか判断する（ステップＳ１２）。この判断の答えがノーの場合、この処理が終了し、所定時間後にステップＳ２から再び実行される。但し、この場合には、ステップＳ１０において組合せが選択されるように、計量器２−１乃至２−Ｎ上の物品の入れ替えが行われる。
【００４５】
ステップＳ１０の判断の答えがイエスの場合、選択された組合せそれぞれについて、揃い度Ｆｘを算出する（ステップＳ１４）。即ち各組合せにおいて、その組合せを構成している物品の重量のうち、最大値と最小値とを検索し、その最大値と最小値との偏差を算出し、この偏差を揃い度Ｆｘとする。
【００４６】
次に、揃い度優先モードと指示されているか判断する（ステップＳ１６）。この指示は、図１に示す設定部２６を使用者が操作することによって設定されている。ステップＳ１６の判断の答えがイエスの場合、揃い度優先モードで組合せ選択が行われ（ステップＳ１８）、この判断の答えがノーの場合には、近接度優先モードで組合せ選択が行われる（ステップＳ２０）。
【００４７】
揃い度優先モードでの組合せ選択は、図６に示すように、まずカウンタｃをリセットし（ステップＳ１８１）、次に揃い度優先選択組合せレジスタ３８のアドレスＤ＋１を指定するためにカウンタｃの値を１とする（ステップＳ１８２）。
【００４８】
そして、ステップＳ１０で選択した組合せである選択対象の組合せから、揃い度Ｆｘである偏差が最小の組合せであって、揃い度優先選択組合せレジスタ３８のアドレスＤ＋ｃよりも小さいアドレスに記憶されている組と物品を共有していない組が選択され、その組合せを構成する各計量器の番号と、揃い度Ｆｘとを、アドレスＤ＋ｃに記憶させ、この記憶させた組を選択対象の組合せから除去する（ステップＳ１８３）。
【００４９】
ステップＳ１８３に続いて、選択対象となる組合せがまだ存在するか判断し（ステップＳ１８４）、その判断の答えがノーの場合、揃い度優先モードでの組合せ選択を終了する。ステップＳ１８４の判断の答えがイエスの場合、カウンタｃの値がＱ以上か判断し（ステップＳ１８５）、その判断の答えがノーの場合には、ステップＳ１８２を実行し、その判断の答えがイエスの場合には、揃い度優先モードでの組合せ選択を終了する。
【００５０】
例えばカウンタｃの値が１の場合、ステップＳ１８３では、アドレスＤ＋１よりも小さいアドレスには組合せは記憶されていないので、全く制約無しに最も揃い度Ｆｘが小さい組合せが選択される。そして、カウンタｃの値が２とされた場合、ステップＳ１８３では、アドレスＤ＋１に記憶されている組合せを構成する物品を含まない組合せであって、最も揃い度Ｆｘが小さい組合せが選択されて、その組合せを構成する各計量器の番号と、揃い度Ｆｘとが、アドレスＤ＋２に記憶され、この記憶させた組を選択対象の組合せから除去する。以下、記憶された組合せの数がＱ個になるか、選択対象の組合せが存在しなくなるまで、同様にして組合せの選択が行われ、アドレスＤ＋１に最も揃い度が高い組合せが記憶され、アドレスＤ＋２に次に揃い度が高く、最も揃い度が高い組合せと物品が重複していない組合せが記憶される。以下、同様にして記憶される。
【００５１】
近接度優先モードでの組合せ選択は、図７に示すように、まずカウンタｃをリセットし（ステップＳ２０１）、次に近接度優先選択組合せレジスタ４０のアドレスＤ’＋１を指定するためにカウンタｃの値を１とする（ステップＳ１８２）。
【００５２】
そして、ステップＳ１０で選択した組合せである選択対象の組合せから、近接度Ｅｘが最小の組合せであって、近接度優先選択組合せレジスタ４０のアドレスＤ’＋ｃよりも小さいアドレスに記憶されている組と物品を共有していない組が選択され、その組合せを構成する各計量器の番号と、揃い度Ｆｘとを、アドレスＤ’＋ｃに記憶させ、この記憶させた組を選択対象の組合せから除去する（ステップＳ２０３）。
【００５３】
ステップＳ２０３に続いて、選択対象となる組合せがまだ存在するか判断し（ステップＳ２０４）、その判断の答えがノーの場合、近接度優先モードでの組合せ選択を終了する。ステップＳ２０４の判断の答えがイエスの場合、カウンタｃの値がＫ以上か判断し（ステップＳ２０５）、その判断の答えがノーの場合には、ステップＳ２０２を実行し、その判断の答えがイエスの場合には、近接度優先モードでの組合せ選択を終了する。
【００５４】
例えばカウンタｃの値が１の場合、ステップＳ２０３では、アドレスＤ’＋１よりも小さいアドレスには組合せは記憶されていないので、全く制約無しに最も近接度Ｅｘが小さい組合せが選択される。そして、カウンタｃの値が２とされた場合、ステップＳ２０３では、アドレスＤ’＋１に記憶されている組合せを構成する物品を含まない組合せであって、最も近接度Ｅｘが小さい組合せが選択されて、その組合せを構成する各計量器の番号と、揃い度Ｆｘとが、アドレスＤ’＋２に記憶され、この記憶させた組を選択対象の組合せから除去する。以下、記憶された組合せの数がＫ個になるか、選択対象の組合せが存在しなくなるまで、同様にして組合せの選択が行われ、アドレスＤ’＋１に最も近接度が高い組合せが記憶され、アドレスＤ＋２に次に近接度が高く、最も近接度が高い組合せと物品が重複していない組合せが記憶される。以下、同様にして記憶される。
【００５５】
このように近接度優先または揃い度優先で組合せが選択されたので、図５に示すように、ステップＳ１８またはステップＳ２０に続いて、フラグＦ１が１にセットされる（ステップＳ２２）。そして、カウンタｃの内容とランク数ｒの内容とが表示部２８に表示される（ステップＳ２４）。これによって、この処理が終了し、所定時間後にステップＳ２から再び実行される。但し、ステップＳ２４がステップＳ２２に続いて実行された時点ではランク数ｒはまだ決定されていないので、カウンタｃの内容、即ち、近接度優先または揃い度優先で選択された組合せの個数のみが表示される。
【００５６】
ステップＳ４の判断の答えがイエスの場合、即ち近接度優先または揃い度優先で組合せが選択されている場合、図８に示すように揃い度優先モードが指示されているか判断する（ステップＳ２６）。この判断の答えがイエスの場合、カウンタｃの内容によって揃い度優先選択組合せレジスタ３８のアドレスＤ＋ｃを指示する（ステップＳ２８）。また、ステップＳ２６の判断の答えがノーの場合、カウンタｃの内容によって近接度優先選択組合せレジスタ４０のアドレスＤ’＋ｃを指示する（ステップＳ３０）。
【００５７】
ステップＳ３４またはＳ３６に続いて、選択組合せレジスタ３８または４０の指示されたアドレスに記憶されている揃い度Ｆｘが、上述した３つのランクのいずれに該当するかを表すランク数ｒを算出する（ステップＳ３２）。即ち、最も高い揃い度のランクと中間の揃い度のランクとの境界となる第１の境界揃い度ｆ１と、中間の揃い度のランクともっと低い揃い度のランクとの境界揃い度ｆ２とを予め設定部２８によって設定してあり、指示されたアドレスに記憶されている揃い度Ｆｘが０以上ｆ１よりも小であればランク数１と、ｆ１以上でｆ２よりも小であればランク数２と、ｆ２以上であればランク数３と判定される。
【００５８】
次に、選択組合せレジスタ３８または４０の指示されたアドレスに記憶されている組合せを構成する計量器の計量器番号を排出指示レジスタ４２にセットする（ステップＳ３４）。排出指示レジスタ４２にセットされた計量器の番号とランク数ｒとを各計量器２−１乃至２−Ｎに出力する（ステップＳ３６）。これによって、各計量器２−１乃至２−Ｎのうち、送信されてきた計量器番号が自己の計量器番号に該当するものでは、同時に送信されてきたランク数ｒに対応するランプを点灯する。例えば計量器２−１において、ランク数１であるとランプ３０−１を、ランク数２であるとランプ３２−１を、ランク数３であるとランプ３３−１を、点灯させる。他の計量器でも同様である。従って、組合せに選択された物品を計量している計量器がどれであるかと、その選択された組合せのランクがいずれのランクであるかが判明する。
【００５９】
次に、選択された計量器から全ての物品が除去されたか判断する（ステップＳ３８）。この判断の答えがノーであると、図１に示すステップＳ２４が実行されて、カウンタｃの内容、即ちまだ取り出すことができる組合せの個数と、現在取り出しが指示されている組合せのランク数ｒとが表示され、この処理が終了される。その後、所定時間の経過後に再びステップＳ２から実行される。
【００６０】
ステップＳ３８の判断の答えがイエスであると、カウンタｃの値が１つ減らされ（ステップＳ４０）、カウンタｃの値が０か判断される（ステップＳ４２）。即ち、全ての組合せの物品が取り出されたか判断する。この判断の答えがノーの場合、図１に示すステップＳ２４が実行されて、カウンタｃの内容、即ちまだ取り出すことができる組合せの個数と、現在取り出しが指示されている組合せのランク数ｒとが表示され、この処理が終了される。その後、所定時間の経過後に再びステップＳ２から実行される。
【００６１】
ステップＳ４２の判断の答えがイエスの場合、全ての組合せの物品が取り出されたので、フラグＦ１を０にセットし（ステップＳ４４）、排出指示レジスタ４２の内容とランク数ｒとをリセットする（ステップＳ４６）。リセットされた排出指示レジスタ４２の内容とランク数ｒとを各計量器２−１乃至２−Ｎに出力する（ステップＳ４８）。これによって、点灯していたランプは全て消灯する。これに続いて、図１に示すステップＳ２４が実行される。これによって、取り出し可能な組合せが無いことと、ランク数ｒが０であることが表示され、この処理が終了される。その後、所定時間の経過後に再びステップＳ２から実行される。
【００６２】
上記の実施形態では、揃い度として、組合せを構成している各計量値の最大値と最小値との偏差を使用したが、これに限ったものではなく、例えば組合せを構成している各計量値の平均値と、その組合せの各計量値との偏差を求め、この偏差を揃い度とすることもできる。この場合、全ての偏差が予め定めた許容偏差範囲内にあるものをとして選択する。また、上記の偏差の二乗値を揃い度とすることもできる。この場合、例えば全偏差のうち個数の７０％より多く１００％以下が予め定めた許容範囲内に入っている場合を揃い度が最も高いランクと、３０％よりも多く７０％以下が許容範囲内に入っている場合を揃い度が中間のランクと、０％よりも多く３０％以下が許容範囲に入っているものを揃い度が最も低いランクと判定する。或いは偏差の二乗値の合計値を揃い度とし、上記と同様に何個の偏差の二乗値が許容範囲内に入っているかによってランク判別することもできる。なお、上記のパーセントの値は適切に変更することができる。
【００６３】
上記の実施形態では、揃い度は３つのランクのいずれに属するか判定されたが、ランクの数は３に限ったものではなく、２以上のランクであれば種々の数のものを使用することができる。
【００６４】
上記の実施の形態では、揃い度優先での組合せと近接度優先での組合せのいずれもが実行可能としたが、いずれか一方のみを実行するように構成することもできる。また、上記の実施の形態では、揃い度優先または近接度優先それぞれで複数の組合せを選択したが、揃い度優先または近接度優先それぞれで１つの組合せのみを選択することもできる。上記の実施形態では、揃い度を３つのランクに分けて、最も揃い度の高いものを計量器ごとに設けたランプ３０−１乃至３０−Ｎ、中間のものをランプ３２−１乃至３２−Ｎ、最も低いものをランプ３３−１乃至３３−Ｎによって表示させた。しかし、これらランプを赤、青、緑のＬＥＤランプとして計量器ごとに１つにまとめて配置することもできる。このように構成すると、各ランプの点灯、消灯の組合せによって、赤、黄、白、緑、青、マゼンタ、シアンの７種類の色彩表示が可能である。従って、揃い度または近接度が上記各色彩に対応させて設けた７つのランクのいずれに該当するか判定し、判定されたランクに該当する色彩を表示して、ランクを表示することも可能である。この場合、作業者は、予め各色彩に対応させた収容箱を設けておき、組合せ物品を表示された色彩に対応する収容箱に収容することができる。上記の実施形態では、本発明を手動式の組合せ秤に実施したが、これに限ったものではなく、例えば物品の計量器への供給は、手動で行い、排出は自動で行う半自動式の組合せ秤にも、計量器への物品の供給及び排出を共に自動で行う自動式の組合せ秤にも、本発明を実施することができる。また、上記の実施形態では、計量器で物品の計量を行うと、その物品をそのまま計量器上に載せたままとしたが、例えば計量器ごとに計量器とは別に物品収容装置を設け、計量器での計量が終了した物品は、物品収容装置に移すと共に、その計量値は制御装置１８に送信し、空になった計量器には新たな物品を載置して計量し、各計量器上の物品と各物品収容装置上の物品とを対象として、揃い度優先または近接度優先で組合せを選択するようにしてもよい。このようにすると、組合せの対象となる物品が増加するので、複数の組合せを選択する場合に有効である。
【図面の簡単な説明】
【００６５】
【図１】本発明の１実施形態の組合せ秤のブロック図である。
【図２】図１の組合せ秤において使用する受信レジスタとメモリレジスタの構成を示す図である。
【図３】図１の組合せ秤において使用する揃い度優先選択組合せレジスタと近接度優先選択組合せレジスタの構成を示す図である。
【図４】図１の組合せ秤において使用する排出指示レジスタの構成を示す図である。
【図５】図１の組合せ秤における揃い度優先または近接度優先の組合せを得る過程のフローチャートである。
【図６】図５における揃い度優先組合せ選択の詳細なフローチャートである。
【図７】図５における近接度優先組合せ選択の詳細なフローチャートである。
【図８】図１の組合せ秤における揃い度優先または近接度優先の組合せを指示する過程のフローチャートである。
【符号の説明】
【００６６】
２−１乃至２−Ｎ  計量器
１８  制御装置
２０  ＣＰＵ（組合せ作成手段、ランク判定手段）
【図１】
2008281518.tif 000003
【図２】
2008281518.tif 000004
【図３】
2008281518.tif 000005
【図４】
2008281518.tif 000006
【図５】
2008281518.tif 000007
【図６】
2008281518.tif 000008
【図７】
2008281518.tif 000009
【図８】
2008281518.tif 000010